【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】  スペクトラム拡散通信システムにおいて、
複数の移動局を有し、そのうちのいくつかは、アップリンク通信のためのデータパケットを有し、
前記複数の移動局とスペクトラム拡散エアインターフェースを介して無線周波数通信を行う基地局であって、該基地局は前記データパケットのアップリンク通信のためにフレームアクセスのスケジュールにより前記移動局のうちのいくつかからのアクセス要求に応答し、前記スケジュールは既存フレーム内で前記エアインターフェースを介して前記複数の移動局へダウンリンク通信を行い、前記スケジュールはどの複数の移動局が拡散符号化の許可を有し次のフレーム内で前記エアインターフェースを介してアップリンクデータパケット通信をするか識別し、かつ、前記次のフレーム内のアップリンクデータパケット通信をするときに、前記スケジュールは前記基地局により前記いくつかの移動局に割り当てられたバンド幅を動的に制御するようにするために移動局処理利得（拡散因子）割当（mobile station processing gain (spreading factor) assignments）を含むスペクトラム拡散通信システム。
【請求項２】  前記スペクトラム拡散通信は、符号分割多重アクセス移動体通信システムを含む請求項１に記載のシステム。
【請求項３】  前記スケジュールは、エアインターフェースを介して制御チャンネル上で通信する請求項１に記載のシステム。
【請求項４】  前記制御チャンネルは、アップリンクトラフィックをスケジュールするのに使用される移動局用の共通ダウンリンク制御チャンネルを有する請求項３に記載のシステム。
【請求項５】  前記制御チャンネルは、移動局専用の制御チャンネルを有する請求項３に記載のシステム。
【請求項６】  前記いくつかの移動局からのアクセス要求は、システムをアクセスするのに使用される共通アップリンク制御チャンネルを介して送信される請求項１に記載のシステム。
【請求項７】  前記いくつかの移動局からのアクセス要求は、移動局専用のアップリンク制御チャンネルを介して送信される請求項１に記載のシステム。
【請求項８】  前記いくつかの移動局からのアクセス要求は、アップリンク通信のためのデータパケット長の指示を含む請求項１に記載のシステム。
【請求項９】  前記スケジュールは、さらに、前記いくつかの移動局のうちの複数の移動局が同時に拡散符号化されたアップリンクデータパケット通信をエアインターフェースを介して行う許可を得ている単数または複数のフレーム内の時刻を指定する請求項１に記載のシステム。
【請求項１０】  スペクトラム拡散通信システム用のアップリンク通信アクセスをスケジュールするための方法において、
複数の移動局からそれぞれの要求を示す要求メッセージを受信してアップリンクデータパケット通信をし、
受信したアクセス要求メッセージに応答して、アップリンクデータパケット通信のためにフレームアクセスをスケジュールし、
どの単数または複数の移動局が拡散符号化の許可を有し次のフレーム内でアップリンクデータパケット通信をするかを識別するスケジュールを既存フレームの間ダウンリンク上で基地局から送信し、前記次のフレーム内のアップリンクデータパケット通信をするとき、前記スケジュールは前記基地局により前記複数の移動局に割り当てられたバンド幅量を動的に制御するようにするために移動局処理利得（拡散因子）割当（mobile station processing gain (spreading factor) assignments）をさらに含み、
アップリンクデータパケット通信による拡散符号を、スケジュールされ許可された移動局から受信する、方法。
【請求項１１】  前記スペクトラム拡散通信システムは、符号分割多重アクセス移動体通信システムを含む請求項１０に記載の方法。
【請求項１２】  前記スケジュールを送信するステップは、スペクトラム拡散通信システム制御チャンネル上のスケジュールを送信するステップを含む請求項１０に記載の方法。
【請求項１３】  前記制御チャンネルは、アップリンクトラフィックをスケジュールするのに使用される移動局用の共通ダウンリンク制御チャンネルを有する請求項１２に記載の方法。
【請求項１４】  前記制御チャンネルは、移動局専用の制御チャンネルを有する請求項１２に記載の方法。
【請求項１５】  前記アクセス要求メッセージを受信するステップは、前記システムにアクセスするための共通アップリンク制御チャンネルを介して前記アクセス要求メッセージを受信するステップを含む請求項１０に記載の方法。
【請求項１６】  前記アクセス要求メッセージを受信するステップは、前記システムにアクセスするための移動局専用のアップリンク制御チャンネルを介して前記アクセス要求メッセージを受信するステップを含む請求項１０に記載の方法。
【請求項１７】  前記スケジュールをするステップは、さらに、
それぞれの移動局データパケットの通信完結のために必要なフレーム数を決定し、
多重フレームを必要とするデータパケット通信に対して前記スケジュールされたフレームアクセスに課金するステップを含む請求項１０に記載の方法。
【請求項１８】  前記アクセス要求メッセージは、アップリンク通信のためのデータパケット長の指示を含む請求項１０に記載の方法。
【請求項１９】  前記スケジュールを送信するステップは、前記いくつかの移動局のうちの複数の移動局が、同時に拡散符号化されたアップリンクデータパケット通信を行う許可を得ている単数または複数のフレーム内の時刻を指定するスケジュールを送信するステップを含む請求項１０に記載の方法。
【請求項２０】  スペクトラム拡散通信システムにおいて、
複数の移動局であって、そのうちのいくつかは、ダウンリンクデータパケット通信のための目的地を有し、
前記複数の移動局とスペクトラム拡散エアインターフェースを介して無線周波数通信を行う基地局であって、該基地局は、データパケットのダウンリンク通信のためのフレームアクセスをスケジューリングすることによりダウンリンク通信のためのデータパケットの受信に対して応答し、そのスケジュールはデータパケットのダウンリンク配送のための単数または複数の到来フレーム内に時刻を指定し、さらに、前記スケジュールはエアインターフェースを介して配送の指示を目的の移動局に送信し、かつ拡散符号化してダウンリンクデータパケット通信を、指定された時刻にエアインターフェースを介して実行する、スペクトラム拡散通信システム。
【請求項２１】  前記スペクトラム拡散通信システムは、符号分割多重アクセス移動体通信システムを含む請求項２０に記載のシステム。
【請求項２２】  前記指示は、制御チャンネル上でエアインターフェースを介して通信される請求項２０に記載のシステム。
【請求項２３】  前記制御チャンネルは、ダウンリンク配送指示を提供するのに使用される移動局用の共通ダウンリンク制御チャンネルを含む請求項２２に記載のシステム。
【請求項２４】  前記制御チャンネルは、移動局専用の制御チャンネルを含む請求項２２に記載のシステム。
【請求項２５】  前記スケジュールが実行されて、エアインターフェースを介して、目的移動局へ、配送しようとする既存フレームの間に指示を送信し、次のフレームの間にエアインターフェースを介して、拡散符号化されたダウンリンクデータパケット通信を行う請求項２０に記載のシステム。
【請求項２６】  前記指示は、ダウンリンクデータパケット通信の受信のときに、前記いくつかの移動局により使用する処理利得（拡散因子）情報を含む請求項２５に記載のシステム。
【請求項２７】  スペクトラム拡散通信システムに使用されるダウンリンク通信配送をスケジュールするための方法において、
受信されたダウンリンクデータパケットに応答して、到来する単数または複数のフレーム内の所定時刻におけるデータパケットのダウンリンク通信のためにフレームアクセスをスケジュールし、
ダウンリンクデータパケット通信の配送しようとする単数または複数の移動局に指示を送信し、
スケジューリングに従って、ダウンリンクデータパケット通信により前記いくつかの移動局へ拡散された符号を送信する、方法。
【請求項２８】  前記スペクトラム拡散通信システムは、符号分割多重アクセス移動体通信システムを含む請求項２７に記載の方法。
【請求項２９】  前記指示を送信するステップは、スペクトラム拡散通信システム制御チャンネル上の前記指示を送信するステップを含む請求項２７に記載の方法。
【請求項３０】  前記制御チャンネルは、ダウンリンク配送指示を提供するのに使用される移動局用の共通ダウンリンク制御チャンネルを含む請求項２９に記載の方法。
【請求項３１】  前記制御チャンネルは、移動局専用の制御チャンネルを含む請求項２９に記載のシステム。
【請求項３２】  前記指示を送信するステップは、既存フレームの間にダウンリンクデータパケット通信により次のフレームで配送されるという指示を前記いくつかの移動局へ送信するステップを含み、
前記データパケット通信の送信をするステップは、次のフレームの間に拡散された符号を、ダウンリンクデータパケット通信により、スケジューリングに従って前記いくつかの移動局へ送信するステップを含む、請求項２７に記載の方法。
【請求項３３】  前記指示は、ダウンリンクデータパケット通信による受信のとき、前記いくつかの移動局により使用する処理利得（拡散因子）情報を含む請求項２７に記載の方法。